(57)【要約】【課題】画材の出し入れを容易に実施でき、かつ画材の汚れが付着したときに洗濯容易な構成の画材バッグを提供する。【解決手段】底部１２、側壁部１４および襠部１６を有しており、底部１８と対向する位置に開閉部２０が設けられた外袋１０、および外袋の内面にて１箇所または複数箇所で面ファスナー４０等で取り付けられている、取り外し可能な内袋３０を有する画材バッグ１００において、内袋３０を、外袋の底部１２の内面の略全体ならびに外袋の側壁部１４および襠部１６の内面の少なくとも下部を覆う寸法および形状を有するように構成して、画材を専ら内袋３０で収納するようにする。【選択図】図２
2008125959.tif 000002
【特許請求の範囲】
【請求項１】
底部、１対の側壁部および１対の襠部を有しており、底部と対向する位置に開閉部が設けられた外袋、および
外袋の内面にて１箇所または複数箇所で取り付けられている、取り外し可能な内袋であって、外袋の底部の内面の略全体ならびに外袋の各側壁部および各襠部の内面の少なくとも下部を覆う寸法および形状を有する内袋
を有する、画材バッグ。
【請求項２】
内袋が、矩形の底部、１対の矩形の側面部および１対の矩形の襠部を有し、各側面部および各襠部の上縁部が開口縁部を形成している、請求項１に記載の画材バッグ。
【請求項３】
内袋が、面ファスナーによって、外袋の内面に取り付けられている、請求項１または２に記載の画材バッグ。
【請求項４】
内袋が、外袋の各側壁部および各襠部の内面にて取り付けられている、請求項１〜３のいずれか１項に記載の画材バッグ。
【請求項５】
内袋が、目の粗い織物または目の粗い編物から成る、請求項１〜４のいずれか１項に記載の画材バッグ。
【発明の詳細な説明】
【技術分野】
【０００１】
本発明は、絵の具、パレット、絵筆、筆洗、スポンジおよび雑巾等の画材を収納する画材バッグに関する。
【背景技術】
【０００２】
絵の具、パレット、絵筆、筆洗、スポンジおよび雑巾等は、まとめて一つのバッグに入れて持ち運びすることが、特に小中学生には便利であることから、最近では画材バッグと呼ばれる専用のバッグが販売されている。また、画材を、画材バッグとセットにして販売することも行われている。
【０００３】
画材バッグは、低年齢の子供（特に、小学校低学年の児童）でも使用しやすいように構成することが、望まれる。そこで、例えば、特許文献１（登録実用新案公報第３１０２７５２号公報）は、画材の出し入れを容易にし、かつ小物の取り出しも容易にするために、取り外し可能な小物入れが内側壁に取り付けられている画材バッグを提案している。特許文献２（特開２０００−１７５７２１号公報）は、ボストンバッグ形状の画材バッグであって、開口部にがま口状に開閉する口枠を設けると共に、開口したときの開口部の幅を底部の幅より広くした画材バッグを提案している。
【０００４】
【特許文献１】登録実用新案公報第３１０２７５２号公報
【特許文献２】特開２０００−１７５７２１号公報
【発明の開示】
【発明が解決しようとする課題】
【０００５】
特許文献１に記載の画材バッグのように、小物入れを設けると、特に、低年齢の子供には、小物入れに収納すべきものと、バッグ本体に収納すべきものとの判別がつきにくく、小物入れに物を入れすぎる等、画材の出し入れが困難になることがある。また、特許文献１および２に記載の画材バッグは、バッグ本体に比較的大きい筆洗を入れるものであり、筆洗自体が汚れているときには、バッグ本体の内面が汚れることとなる。その場合、画材バッグを洗濯等することが必要となる。しかし、バッグそれ自体はファスナー部および取手等を有し、嵩高いものであるため、その洗濯は煩雑である。
【０００６】
本発明は、画材の出し入れを単純に実施でき、かつ画材が汚れていて、画材バッグが汚れた場合でも、洗濯に要する手間が比較的かからず、さらに、画材全部を一度に取り出すことも可能にする、画材バッグを提供することを目的とする。
【課題を解決するための手段】
【０００７】
本発明は、底部、１対の側壁部および１対の襠部を有しており、底部と対向する位置に開閉部が設けられた外袋、および
外袋の内面にて１箇所または複数箇所で取り付けられている、取り外し可能な内袋であって、外袋の底部の内面の略全体ならびに外袋の各側壁部および各襠部の内面の少なくとも下部を覆う寸法および形状を有する内袋
を有する、画材バッグを提供する。
【０００８】
ここで、「略全体」とは、内袋の寸法が外袋の寸法よりも通常小さく、内袋が外袋の底部の内面全部を完全に覆うことはできないことを考慮して使用されている。また、「覆う」とは、内袋が袋の内面と同じ形状を有して、外袋の内面に沿っていることを必ずしも要求せず、内袋が取り付けられたときに、外袋の内面において内袋と重なる部分が、画材を直接受け入れず、内袋を介して受け入れることが確保されているように、内袋が配置されることを要求する意味で使用される。「外袋の各側壁部および各襠部の内面の少なくとも下部を覆う」とは、内袋が外袋に取り付けられた状態において、内袋が外袋の底部のみを覆う二次元的な形状ではなく、底部から延びる高さを有する三次元的な形状を有することを意味する。
【０００９】
この画材バッグにおいては、取り外し可能な内袋が、底部の内面の略全体ならびに外袋の各側壁部および各襠部の内面の少なくとも下部を覆うように設けられていることを特徴とする。即ち、内袋は、外袋の内面の下側部分を覆うように設けられることになる。そのような構成の内袋は、画材の主たる収納部として機能し、外袋の開閉部を開いたときに、最初にアクセスできる収納部となる。この内袋はまた、取り外し可能であるから、汚れたときに、取り外して容易に洗濯できる。さらに、内袋に画材一式が収納された状態で、内袋を取り外せば、画材一式を一度に取り出すことができる。
【００１０】
本発明の画材バッグにおいて、内袋は、好ましくは、矩形の底部、１対の矩形の側面部および１対の矩形の襠部を有し、各側面部および各襠部の上縁部が開口縁部を形成している。即ち、内袋は、方形であることが好ましい。そのような内袋は、画材が収納された状態で取り出したときに、画材を入れたまま、机等の上に安定して置くことができる。
【００１１】
本発明の画材バッグにおいて、内袋は、面ファスナーによって、外袋の内面に取り付けられていることが好ましい。面ファスナーによる内袋の取り付け又は取り外しは、低年齢の子供でも比較的容易に実施できることによる。
【００１２】
本発明の画材バッグにおいて、内袋は、外袋の各側壁部および各襠部の内面にて取り付けられていることが好ましい。即ち、内袋は、外袋の底面から上向きに延びる部分の内面に取り付けられていることが好ましい。それらの内面に内袋が取り付けられると、外袋の内部で、内袋が変形しにくいので、安定して保持される。
【００１３】
本発明の画材バッグにおいて、内袋は、目の粗い織物または目の粗い編物から成ることが好ましい。それにより、内袋は良好な通気性を有することとなり、湿った画材が収納されても、バッグ内の湿度が高くなることを抑制する。即ち、外袋の開閉部が閉じた状態でも外袋が外気と連絡する構成を有する限りにおいて、そのような内袋の中に湿った状態の画材が収納されても、湿気がバッグ内にこもりにくく、カビの発生等が抑えられる。
【発明の効果】
【００１４】
本発明の画材バッグは、内袋に画材が専ら収納される構成であり、また、内袋は取り外して洗濯可能である。よって、本発明の画材バッグに画材を収納するときには、画材ごとに収納すべき場所を選ぶ作業が必要とされず、また、汚れの付着を気にすることなく、画材一式を一箇所に収納することが可能である。
【発明を実施するための最良の形態】
【００１５】
本発明の画材バッグの一例を、図１〜図４を参照して説明する。図１は、本発明の画材バッグの外観を示す斜視図である。図２は、外袋の開閉部を開いた状態を示す斜視図である。図３は、内袋を示す斜視図である。図４は、内袋を取り外した状態の外袋を示す斜視図である。
【００１６】
図１に示す本発明の画材バッグ１００は、底部１２、１対の側壁部１４および１対の襠部１６を有し、さらに上面部１８を有する外袋１０を有する。以下、底部１２、側壁部１４、襠部１６および上面部１８を総称して、便宜的に外袋の本体とも呼ぶ。外袋１０の各側壁部１４は、側壁上部１４ａと側壁下部１４ｂとから成り、これらは縫合により一体化されている。外袋１０の上面部１８には、開閉部２０として、ファスナーが設けられている。上面部１８の両端部は、１対の襠部１６の各々の上部を覆うように延びており、さらに、ファスナー２０が、上面部１８の両端を越えて延びている。このような上面部１８およびファスナー２０の構成は、後述するように、大きく開いた開口部を外袋に形成する。
【００１７】
さらに、外袋１０には、１対の取手２２が取り付けられている。取手２２には、リング２４が取り付けられている。リング２４ａは、取り外し可能な肩掛け紐（図示せず）を取り付けるためのものである。図面には表れていないリングが、もう一方の取手に、リング２４と対角の位置に設けられている。
【００１８】
外袋１０は、公知の織物、編物、不織布またはプラスチックシートもしくはフィルム等から選択される、任意のシート状物を使用して構成することができる。例えば、外袋１０の本体は、柔軟なプラスチックシートで形成してよい。プラスチックシートは、必要に応じて、小さな開口が多数穿たれたものであってよく、例えば、直径０．５〜１．５ｍｍ程度の開口が１ｃｍ２につき３〜１０個程度設けられたものであってよい。そのようなプラスチックシートは、バッグの通気性を高くして、バッグ内の湿度が高くなることを防ぐ。あるいは、外袋は、側壁上面部１４ａをより通気性の高いメッシュで形成し、その他の部分をプラスチックシートで形成してもよい。取手２２は本体と同じシート状物で形成してよく、あるいは、異なるシート状物で形成してよい。例えば、外袋１０の本体をプラスチックシートで形成する場合には、取手を織物で形成してよい。
【００１９】
外袋１０の寸法は特に限定されず、一般的な画材一式が収納できるように選択される。例えば、図示した形態において、底部１２は、タテ×ヨコが１２ｃｍ×３０ｃｍ〜１３ｃｍ×３２ｃｍ程度の矩形とすることができ、側壁部１４全体は、タテ×ヨコが１３ｃｍ×３１ｃｍ〜１５ｃｍ×３３ｃｍ程度の矩形とすることができ、襠部１６は、１０ｃｍ〜１２ｃｍ程度とすることができる。尤も、外袋の寸法は、これに限定されず、画材等の寸法に応じて、より小さく、またはより大きくしてよい。
【００２０】
この外袋１０は、ファスナー２０のスライダーをスライドさせて開くと、図２に示すように側壁上部１４ａが外側に折れて、大きな開口部が形成される。図示したバッグにおいて、外袋１０の開閉部が開かれて、開口部が形成されると、収納部としての内袋３０に直ちにアクセスできるようになっている。即ち、画材をバッグ１００の底部１２の方へ収納しようとすると、画材は内袋３０内に収納されることとなる。
【００２１】
図示した画材バッグにおいて、内袋３０は、それぞれ矩形である、底部３２、１対の側面部３４および１対の襠部３６を有し、側面部３４および襠部３６の上縁部が開口縁部３８を形成している。即ち、内袋３０は、外袋１０の開閉部が開かれると、常に開いた状態の大きな開口部を与え、開閉されるようになっていない。このような内袋が外袋に取り付けられた画材バッグへの画材の収納に際しては、内袋を開ける必要がなく、大きく開いた開口部に画材を入れればよいだけであるから、画材の収納がより容易となる。この内袋３０はまた、外袋１０の側壁部１４および襠部１６の内面に略一致する形状および寸法を有し、それらの部分の内面に略沿って取り付けられているので、外袋１０に直接画材を収納するときと、それほど変わらない収納量を確保している。
【００２２】
内袋３０は、図示した形態において、各側壁下部１４ｂの内面を略覆い、かつ各襠部１６の内面を略覆うように、構成されている。即ち、内袋３０の開口縁部３８が、外袋１０の側壁上部１４ａが外側に折れたときに、開口部となる側壁上部１４ａおよび襠部１６の縁部と略一致するように、内袋３０の高さが設定されている。それにより、外袋の開口部を介して画材を収納するときに、画材がスムーズに内袋３０内に収納されることを確保している。内袋３０の開口縁部３８が、外袋１０の開口部と一致していないと、特に低年齢の子供が画材を収納するときに、内袋３０と外袋１０との間に生じる段差で、画材をひっかける等して、不便を感じる可能性がある。
【００２３】
尤も、画材バッグの使用者の年齢等を考慮して、内袋３０の高さは、例えば、側壁上部１４ａおよび襠部１６の高さより、低く又は高くしてもよい。いずれにしても、内袋３０は、各側壁部１４および各襠部１６の内面の少なくとも下部を覆う高さを有し、好ましくは各側壁部１４および各襠部１６の内面の下から（底部から）３分の１以上を覆い、より好ましくは下から２分の１以上を覆う。内袋の高さが低いと、画材が外袋の内面と直接接触して、外袋が汚れる可能性がある。したがって、内袋の高さは、収納する画材が予め分かっている場合には、収納した状態で最も高い画材（例えば、筆洗）の高さと同じかそれよりも高くなるように、決定することが好ましい。その場合、図示した形態のように、内袋の開口縁部と、外袋の開口部とを略一致させる場合には、画材の高さに応じて決定した内袋の高さに応じて、側壁下部１４ｂおよび襠部１６の高さを決定することが好ましい。
【００２４】
図示した形態の内袋３０はまた、方形の形状を有しているので、それを取り出したときに、机の上等に安定して置くことができる。よって、この内袋３０は、画材一式が入った状態で、内袋３０を取り外して、机の上に置くこともできる。即ち、内袋３０を取り外して取り出すことにより、画材一式をまとめて取り出すことができる。その場合、内袋３０は、使用しない画材を入れておくための、机の上の仮の置き場所として使用することができる。
【００２５】
内袋３０は、公知の織物、編物、不織布またはプラスチックシートもしくはフィルム等から選択される、任意のシート状物を使用して構成することができる。例えば、内袋３０は、ナイロンまたは塩化ビニルから成る、防水性を有する、織物、編物またはシートもしくはフィルムで形成されてよい。内袋が防水性を有すると、画材に付着した汚れが外袋の内面に付着しにくくなる。
【００２６】
内袋３０は、通気性を有するように、目の粗い織物または目の粗い編物で形成されることが好ましい。目の粗い織物または目の粗い編物は、例えば、メッシュ、およびダブルメッシュである。内袋３０が通気性を有すると、画材が濡れた状態で収納されたときでも、外袋がその開閉部を閉じた状態にて外気と連絡する部分を構成である限りにおいて、バッグ内で湿度が高くならず、臭いおよびカビの発生を抑えることができる。外袋は、外袋の本体の一部または全部を通気性を有するシート状物で形成する、ならびに／あるいは外袋の本体（例えば、底部）に通気用の穴を設けることによって、開閉部が閉じた状態でも、外気と連絡する構成を有し得る。
【００２７】
内袋３０を織物または編物で形成する場合には、それらの生地は疎水性を有する合成繊維で構成されていることが好ましい。それにより、例えば、外袋１０の本体が開口を有するシートのように、外気と連絡するような構成を有している場合に、画材に付着して液滴が外袋１０の外に漏れ出すことを、比較的防ぎ得る。
【００２８】
あるいは、内袋３０を織物または編物で形成する場合には、撥水加工を施した織物または編物を使用する、または内袋３０を形成した後に撥水加工を施すことが好ましい。それによっても、画材に付着して液滴が外袋１０の外に漏れ出すことを、比較的防ぎ得る。撥水加工は、例えば、フッ素樹脂等をベースとする撥水剤を、織物もしくは編物、または内袋３０に付着させる方法で実施できる。疎水性の合成繊維を使用することと、撥水加工とを組み合わせてよく、その場合には、液滴の漏れをより防止することができる。
【００２９】
図示した形態において、内袋３０は、雄材と雌材の組み合わせから成る面ファスナー４０を使用して、外袋１０に取り付けられている。内袋３０には、雄材（または雌材）４０ｂが、各側壁部３４および各襠部３６にて、計４箇所に取り付けられている。外袋１０には、雄材（または雌材）４０ｂの位置に合わせて、雌材（または雄材）４０ａが、各側壁下部１４ｂおよび各襠部１６の内面にて、計４箇所に取り付けられている。これらの位置にて、内袋３０を外袋１０に取り付けると、内袋３０が安定して外袋１０に固定され、例えば、内袋３０の側壁部３４または襠部３６が内側に曲がる等して、外袋１０との間で隙間を作るようなことも生じにくい。したがって、低年齢の子供が、誤って、画材を内袋３０と外袋１０の間に収納するようなこともなく、内袋３０内に画材をスムーズに収納できる。
【００３０】
図示した形態において、面ファスナーは、内袋３０および外袋１０にそれぞれ縫い付けられたシート片（ここでは、プラスチックフィルム）に取り付けられ、それにより内袋３０および外袋１０に取り付けられている。これは、面ファスナーを取り付ける縫い目がバッグの外側表面に出ないようにするためである。尤も、面ファスナーは、直接、内袋３０および外袋１０に縫い付けられ、又は貼り付けられてもよい。
【００３１】
内袋３０の構成等によっては、内袋３０が外袋１０に固定される箇所を、より多くしてよく、またはより少なくしてよい。例えば、内袋３０を、外袋１０の各側壁部１４および各襠部１６の内面に加えて、またはこれに代えて、外袋の底面１２に取り付けてよい。また、内袋３０を外袋１０に取り付ける手段は、面ファスナーに限定されず、これに代えて又はこれとともに、他の手段を使用してよい。他の手段は、例えば、スナップまたはボタン等である。
【００３２】
以上において、本発明の画材バッグの一形態を説明した。本発明の画材バッグは、他の形態のものとして実現されてよい。例えば、外袋は、上面部を有さず、２つの側壁部の上端部にて、開閉部を形成するような、ボストンバッグ形状を有していてよい。あるいは、外袋は、上面部と襠部が一体であって、上面部および襠部全体にわたって延びるファスナーを開閉部として有するような形態であってよい。また、本発明の画材バッグは、図示していない要素を有してよく、例えば、外袋の底部に、直径３〜６ｍｍ程度の通気用の穴（例えば、直径５ｍｍの鳩目）を、２箇所又はそれより多い箇所に設けてよい。外袋はまた、小物入れを有していてよい。小物入れは、例えば、外袋の外面に設けてよく、あるいは、内袋で覆われていない内面に設けられてよく、あるいはまた、内袋を取り外した状態で、小物の出し入れが可能なように、側壁部または襠部の内面に設けてもよい。
【００３３】
また、内袋は、外袋に取り付けられたときに、底部の内面の略全体ならびに外袋の側壁部および襠部の内面の少なくとも下部を覆って、画材の主たる収納部の底部および側部（側壁部と襠部を有する場合には、それらを合わせたもの）が内袋と外袋の二重構造となる限りにおいて、その形状は限定されない。内袋は、例えば、円筒形であってよく、または一枚のシート状物を袋状に縫った簡易なものであってよい。内袋は、必要に応じて、上面部を有し、開閉部を設けて、開口部が開閉可能なように構成されてもよい。また、内袋は内部に仕切りを有するものであってよい。
【産業上の利用可能性】
【００３４】
本発明の画材バッグは、内袋に専ら画材を収納するものであり、画材の出し入れを容易に行えることから、小中学生が使用する画材バッグとして、また、小中学校において提供される教育用画材セットを構成するものとして、特に有用である。
【図面の簡単な説明】
【００３５】
【図１】図１は、本発明の画材バッグの一形態の外観を示す斜視図である。
【図２】図２は、図１に示す画材バッグの外袋の開閉部を開いた状態を示す斜視図である。
【図３】図３は、図１に示す画材バッグの内袋を示す斜視図である。
【図４】図４は、図１に示す画材バッグから、内袋を取り外した状態の外袋を示す斜視図である。
【符号の説明】
【００３６】
１０  外袋
１２  底部
１４  側壁部
１４ａ  側壁上部
１４ｂ  側壁下部
１６  襠部
１８  上面部
２０  開閉部
２２  取手
２４  リング
３０  内袋
３２  底部
３４  側壁部
３６  襠部
３８  開口縁部
４０  面ファスナー
４０ａ  雄材（雌材）
４０ｂ  雌材（雄材）
【図１】
2008125959.tif 000003
【図２】
2008125959.tif 000004
【図３】
2008125959.tif 000005
【図４】
2008125959.tif 000006